(57)【要約】【課題】用紙色と画像の色とが類似していることに基づく失敗コピーの可能性を下げることを可能とする画像処理装置を提供する。【解決手段】画像処理装置は、給紙部にセットされた用紙色を検知し（ステップ１５２）、この用紙色と入力を受付けた画像データの色と間に類似している箇所があるか否かを判定する（ステップ１５８）。類似箇所を発見した場合は、画像処理装置は警告画面及び木プレビュー画面を表示し（ステップ１６０、１６４）、類似箇所をユーザに通知する。【選択図】図１１
2012047837.tif 000002
【特許請求の範囲】
【請求項１】
画像データに基づく画像形成が指示されたことに応答して、画像形成を行なう用紙の用紙色を決定するための用紙色決定手段と、
前記用紙色決定手段に基づく前記用紙色と前記画像データの色とに類似性があるか否かを判定するための類似性判定手段と、
前記類似性判定手段により類似性ありと判定された場合に、警告を出力するための警告手段とを含む、画像処理装置。
【請求項２】
前記警告手段により警告がされたことに応答して、画像形成処理をそのまま進めるか否かに関する指示を受けるための指示入力手段と、
前記指示入力手段が、画像形成処理を進める指示を受けたことに応答して、用紙上に前記画像データに基づく画像を形成するための第１の画像形成手段と、
前記指示入力手段が、画像形成処理を止める指示を受けたことに応答して、前記用紙色の背景に画像データの色を合成したプレビュー表示を行なうためのプレビュー表示手段と、
前記プレビュー表示手段による画像の表示中に、前記類似性判定手段により類似性ありと判定された箇所の前記画像データの色を、前記プレビュー表示手段により表示されたプレビュー表示画面上で修正するための修正手段とをさらに含む、請求項１に記載の画像処理装置。
【請求項３】
前記類似性判定手段により類似性なしと判定された場合に、直ちに用紙上に前記画像データに基づく画像を形成するための第２の画像形成手段とをさらに含む、請求項１に記載の画像処理装置。
【請求項４】
前記画像処理装置は、画像形成に使用される用紙を保持し、画像形成の要求に応じて給紙するための給紙手段をさらに含み、
前記用紙色決定手段は、前記給紙手段に関連して設けられ、前記給紙手段に保持されている用紙の用紙色を検知するための用紙色センサを含む、請求項１又は請求項２に記載の画像処理装置。
【請求項５】
前記画像処理装置は、用紙色の設定入力を受けて記憶するための用紙色記憶手段をさらに含み、
前記用紙色決定手段は、前記用紙色記憶手段に記憶された用紙色を読出すための手段を含む、請求項１又は請求項２に記載の画像処理装置。
【請求項６】
前記類似性判定手段は、前記画像データの色を特定する値と前記用紙色を特定する値との間に定義される距離がしきい値以下か否かに基づいて、前記画像データの色と前記用紙の色との間の類似性の有無を判定するための比較手段を含む、請求項１から請求項５のいずれかに記載の画像処理装置。
【請求項７】
前記しきい値を指定する入力を受けて記憶するためのしきい値記憶手段をさらに含み、
前記比較手段は、前記しきい値記憶手段から前記しきい値を読み出す、請求項６に記載の画像処理装置。
【請求項８】
前記プレビュー表示手段は、画像形成処理を止める指示を受けたことに応答して、前記用紙色の背景に前記画像データを合成し前記画像データに基づいて生成される画像のうち、前記類似性判定手段により類似性ありと判定された箇所を強調して表示するための強調表示手段を含む、請求項２に記載の画像処理装置。
【請求項９】
前記強調表示手段により強調表示された箇所がタッチされたことに応答して、前記プレビュー表示されている画像のうち、タッチされた箇所を含む範囲を用紙色と共に拡大して表示するための拡大表示手段をさらに含む、請求項８に記載の画像処理装置。
【請求項１０】
前記強調表示手段により強調表示された箇所がタッチされたことに応答して、前記プレビュー表示されている画像のうち、タッチされた箇所を含む範囲を用紙色と共に拡大して、前記プレビュー表示と同時に表示するための拡大表示手段をさらに含む、請求項８に記載の画像処理装置。
【発明の詳細な説明】
【技術分野】
【０００１】
本発明は画像処理装置に関し、特に、画像データのプレビュー表示及び編集が可能となる画像処理装置に関する。
【背景技術】
【０００２】
近年、多くの事業所（会社、事務所等）において、画像処理装置の１種である複合機が導入されている。複合機はコピーモード、ファクシミリモード、ネットワーク対応のプリンタモード、及びスキャナモードのように、複数の基本的な動作モードを備える。こうした複合機において、ユーザは画像形成の操作を行なう前に、操作パネル上で出力データの確認及び編集を行なうことができる。このことに伴い、操作パネルの表示画面はしだいに大きくなる傾向にある。ユーザは表示画面を見ながら操作パネルを操作できる。複合機は他にも、画像データの蓄積及びプレビュー表示など、種々の機能を備えている。これらに関する指示も、ユーザは操作パネルを通じて行なうことが多い。したがって、複合機のインターフェイス画面が果たす役割は、ますます重要なものとなっている。
【０００３】
複合機の機能の１つにカラー印刷がある。カラー印刷を施す記録媒体としては、紙媒体（印刷用紙）が用いられることが最も多い。印刷用紙は一般的に白色であるが、印刷内容及び用途によっては、カラー用紙又は模様が印刷された用紙が用いられる。カラー用紙上にカラー印刷を施す場合、画像データの色とカラー用紙の色が類似していると、出力原稿が見づらくなってしまう問題がある。また、模様が印刷された用紙上にカラー印刷を施す場合、用紙の下地色と画像データの色とが類似していなくとも、用紙に印刷された模様の色と画像データの色とが類似する恐れがある。模様が小さなものだと、ユーザは色の類似に気付かないまま印刷処理を行なってしまう可能性もある。
【０００４】
これらの問題に対し、特許文献１は、画像読取装置で用紙を読取って得られた用紙画像データと、当該用紙に形成する画像の画像データとを合成して、プレビュー表示する技術を開示している。この技術によると、カラー用紙にカラー印刷を施す前に、どのような原稿が出力されるのかをユーザは確認できる。
【０００５】
特許文献２は、プレビュー表示された原稿画像の確認したい箇所を拡大して表示する技術を開示している。この技術によると、用紙色と画像データ色とが類似している箇所が小さく、通常のプレビュー表示では確認しづらい場合であっても、ユーザは当該箇所を拡大して確認することができる。
【先行技術文献】
【特許文献】
【０００６】
【特許文献１】特開２００６―１１９５４号公報
【特許文献２】特開２００９―３０２７５９号公報
【発明の概要】
【発明が解決しようとする課題】
【０００７】
しかし、特許文献１に開示される技術では、画像データの色と用紙色とが類似している可能性がある度に、ユーザがプレビュー表示を用いて当該箇所を確認する必要がある。そのためユーザにかかる負担が大きい。ユーザが類似の可能性に気付かなければ、見づらいままの原稿が出力される。特許文献２に開示される技術では、どの箇所を拡大するかについての拡大事項データが予め経験に基づいて特定され、装置に格納されていることを前提としている。そのためプレビュー表示前に類似箇所がどこか分からない場合には、この装置は有効に機能しない。その結果、いわゆる失敗コピーという結果になることが多かった。
【０００８】
それゆえに、本発明の目的は、用紙色と画像の色とが類似していることに基づく失敗コピーの可能性を下げることを可能とする画像処理装置を提供することである。
【課題を解決するための手段】
【０００９】
本発明に係る画像処理装置は、画像データに基づく画像形成が指示されたことに応答して、画像形成を行なう用紙の用紙色を決定するための用紙色決定手段と、用紙色決定手段に基づく用紙色と画像データの色とに類似性があるか否かを判定するための類似性判定手段と、類似性判定手段により類似性ありと判定された場合に、警告を出力するための警告手段とを含む。
【００１０】
この画像処理装置によると、用紙色と画像データの色との間に類似性がある場合に、ユーザが指示を与えなくとも、画像処理装置が自動的に類似性を判定する。そのため、ユーザは特段の注意を払う必要なく、印刷を実行できる。
【００１１】
好ましくは、画像処理装置は、警告手段により警告がされたことに応答して、画像形成処理をそのまま進めるか否かに関する指示を受けるための指示入力手段と、指示入力手段が、画像形成処理を進める指示を受けたことに応答して、用紙上に前記画像データに基づく画像を形成するための第１の画像形成手段と、指示入力手段が、画像形成処理を止める指示を受けたことに応答して、用紙色の背景に画像データの色を合成したプレビュー表示を行なうためのプレビュー表示手段と、プレビュー表示手段による画像の表示中に、類似性判定手段により類似性ありと判定された箇所の画像データ色を、プレビュー表示手段により表示されたプレビュー表示画面上で修正するための修正手段とをさらに含む。
【００１２】
この画像処理装置によると、用紙色と画像データの色とが類似している箇所が、画像データの色と合成された状態でプレビュー表示される。そのためユーザは、プレビュー表示に基づき類似箇所がどのようなものか確認し、修正を加えることができる。
【００１３】
好ましくは、画像処理装置は、類似性判定手段により類似性なしと判定された場合に、直ちに用紙上に画像データに基づく画像を形成するための第２の画像形成手段とをさらに含む。
【００１４】
この画像処理装置によると、用紙色と画像データの色とが類似している箇所が発見されなかった場合には、警告表示及びプレビュー表示を行なわずに、直ちに印刷が実行される。そのため、ファーストコピータイムが早まり、ユーザは印刷処理の時間を短縮できる。
【００１５】
さらに好ましくは、画像処理装置は、画像形成に使用される用紙を保持し、画像形成の要求に応じて給紙するための給紙手段をさらに含み、用紙色決定手段は、給紙手段に関連して設けられ、給紙手段に保持されている用紙の用紙色を検知するための用紙色センサを含む。
【００１６】
この画像処理装置によると、用紙色は画像形成を行なうごとに検知される。そのため用紙がどのような用紙色のものであっても、色の類似を判定することが可能となる。
【００１７】
さらに好ましくは、画像処理装置は、用紙色の設定入力を受けて記憶するための用紙色記憶手段をさらに含み、用紙色決定手段は、用紙色記憶手段に記憶された用紙色を読出すための手段を含む。
【００１８】
この画像処理装置によると、記憶手段の記憶に基づく用紙色を決定できる。そのため、ユーザは画像形成を行なう前に、予め用紙色を設定しておくことができる。
【００１９】
さらに好ましくは、画像処理装置の類似性判定手段は、画像データの色を特定する値と用紙色を特定する値との間に定義される距離がしきい値以下か否かに基づいて、画像データの色と用紙の色との間の類似性の有無を判定するための比較手段を含む。
【００２０】
この画像処理装置によると、用紙色と画像データの色との類似性の判定は定義される距離がしきい値以下であるか否かに基づいて行なわれる。そのため、どのぐらいの色が類似性ありと判定されるのかを、明確に表現することができる。
【００２１】
さらに好ましくは、画像処理装置は、しきい値を指定するユーザの入力を受けて記憶するためのしきい値記憶手段をさらに含み、比較手段は、しきい値記憶手段からしきい値を読み出す。
【００２２】
この画像処理装置によると、しきい値はユーザの入力により決定される。そのため、ユーザは予めしきい値を設定しておくことができる。
【００２３】
さらに好ましくは、画像処理装置のプレビュー表示手段は、画像形成処理を止める指示を受けたことに応答して、用紙色の背景に画像データを合成し画像データに基づいて生成される画像のうち、類似性判定手段により類似性ありと判定された箇所を強調して表示するための強調表示手段を含む。
【００２４】
この画像処理装置によると、類似している箇所は強調表示される。そのためプレビュー表示において、ユーザはどの箇所が類似しているかを一目で判別できる。この強調表示は、類似箇所が複数ある場合及び類似箇所が小さい場合に、特に有効である。
【００２５】
さらに好ましくは、画像処理装置は、強調表示手段により強調表示された箇所がタッチされたことに応答して、プレビュー表示されている画像のうち、タッチされた箇所を含む範囲を用紙色と共に拡大して表示するための拡大表示手段をさらに含む。
【００２６】
この画像処理装置によると、強調表示箇所をユーザがタッチすると、当該箇所は拡大して表示される。そのためユーザは類似箇所がどのようなものかを、明確に視認できる。この拡大表示は、類似性が分かりにくい場合及び類似箇所が小さい場合に、特に有効である。
【００２７】
さらに好ましくは、画像処理装置は、強調表示手段により強調表示された箇所がタッチされたことに応答して、プレビュー表示されている画像のうち、タッチされた箇所を含む範囲を用紙色と共に拡大して、プレビュー表示と同時に表示するための拡大表示手段をさらに含む。
【００２８】
この画像処理装置によると、タッチされた強調表示をユーザは拡大表示及びプレビュー表示にて同時に確認することができる。そのため、ユーザは選択した強調表示を、プレビュー表示及び拡大表示の両方で確認できる。
【発明の効果】
【００２９】
本発明によると、用紙色と画像データの色とが類似する箇所がある場合に、ユーザからの指示がなくとも、自動的に色の類似をユーザに知らせることができる。
【図面の簡単な説明】
【００３０】
【図１】本発明の実施の形態に係る画像処理装置の内部構成を簡略化して示す図である。
【図２】図１に示す画像処理装置のハードウェア構成を示す図である。
【図３】図１に示す画像処理装置の操作装置を拡大して示す図である。
【図４】図１に示す画像処理装置のコピーモードにおいて表示部に表示される標準画面を拡大して示す図である。
【図５】本発明の１実施の形態に係る類似色判定のうち、ＲＧＢカラーモデルによる判定を示す図である。
【図６】色が類似する箇所が発見された場合に表示される警告画面である。
【図７】色が類似する箇所が発見された場合に該当箇所を強調表示するプレビュー表示を示す図である。
【図８】色が類似する箇所が発見された場合のプレビュー表示を示す図である。
【図９】色が類似する箇所が発見された場合の色補正のためのプレビュー表示を示す図である。
【図１０】色補正を行った後のプレビュー表示を示す図である。
【図１１】類似色判定を実現するためのプログラムの制御構造を示すフローチャートである。
【図１２】色補正及び印刷を実現するためのプログラムの制御構造を示すフローチャートである。
【図１３】プレビュー表示後の各処理を実現するためのプログラムの制御構造を示す図である。
【発明を実施するための形態】
【００３１】
本発明の実施の形態に係る画像処理装置２０は、いわゆる複合機（ＭＦＰ：Ｍｕｌｔｉｆｕｎｃｔｉｏｎ  Ｐｅｒｉｐｈｅｒａｌ）であって、コピー機能（コピーモード）、ファクシミリ送受信機能（ファクシミリモード）、プリンタ機能（プリンタモード）およびスキャナ機能（スキャナモード）を有する。以下において、主に図１を参照して、記録用紙に画像を形成する機能（コピーモード、ファクシミリ受信モードおよびプリンタモードにおいて使用）について説明する。
【００３２】
［画像処理装置の構造］
この画像処理装置（ＭＦＰ）２０は、情報処理装置（コンピュータ）からネットワーク回線を介して伝達された画像データ（印刷データと記載する場合がある。）に応じて、所定の記録用紙（シートと記載する場合がある。）に対して多色の画像または単色の画像を形成するもので、大略的には、画像処理装置２０の本体部２６と、自動原稿処理装置２８（コピーモードまたはスキャナモードで使用）とにより構成されている。本体部２６には、画像形成部が、露光ユニット１、現像器２、感光体ドラム３、クリーナユニット４、帯電器５、中間転写ベルトユニット６、定着ユニット７、給紙カセット８１、排紙トレイ９１等により構成されている。
【００３３】
本体部２６の上部には、原稿が載置される透明ガラスからなる原稿載置台２４が設けられ、原稿載置台２４の上側には自動原稿処理装置２８が取り付けられている。自動原稿処理装置２８は、原稿載置台２４の上に自動で原稿を搬送する。また、自動原稿処理装置２８は矢印Ｍ方向に回動自在に構成され、原稿載置台２４の上を開放することにより原稿を手置きで置くことができるようになっている。原稿載置台２４に載置された原稿は、原稿読取部（スキャナ部）により画像データとして読取られる。
【００３４】
この画像処理装置２０において扱われる画像データは、ブラック（Ｋ）、シアン（Ｃ）、マゼンタ（Ｍ）、イエロー（Ｙ）の各色を用いたカラー画像に対応するデータである。従って、現像器２、感光体ドラム３、帯電器５、クリーナユニット４は、各色に応じた４種類の潜像を形成するようにそれぞれ４個ずつ設けられ、ブラック、シアン、マゼンタ、イエローの４つの画像ステーションが構成されている。
【００３５】
帯電器５は、感光体ドラム３の表面を所定の電位に均一に帯電させるために機能する。露光ユニット１には、レーザー出射部および反射ミラー等を備えたレーザースキャニングユニット（ＬＳＵ：Ｌａｓｅｒ  Ｓｃａｎｎｉｇ  Ｕｎｉｔ）として構成される。露光ユニット１は、レーザー光を走査するポリゴンミラーと、ポリゴンミラーによって反射されたレーザー光を感光体ドラム３に導くためのレンズおよびミラー等の光学要素が配置されている。
【００３６】
露光ユニット１は、帯電された感光体ドラム３を、入力された画像データに応じて露光することにより、その表面に、画像データに応じた静電潜像を形成する機能を有する。現像器２は、それぞれの感光体ドラム３上に形成された静電潜像を、４色（Ｙ、Ｍ、Ｃ、Ｋ）のトナーにより顕像化するものである。また、クリーナユニット４は、現像および画像転写後における感光体ドラム３上の表面に残留したトナーを、除去および回収する。
【００３７】
感光体ドラム３の上方に配置されている中間転写ベルトユニット６は、中間転写ベルト６１、中間転写ベルト駆動ローラ６２、中間転写ベルト従動ローラ６３、中間転写ローラ６４、および中間転写ベルトクリーニングユニット６５を備えている。中間転写ローラ６４は、Ｙ、Ｍ、Ｃ、Ｋの各色に対応して４本設けられている。中間転写ベルト駆動ローラ６２、中間転写ベルト従動ローラ６３、および中間転写ローラ６４は、中間転写ベルト６１を張架して回転駆動させる。中間転写ローラ６４は、感光体ドラム３のトナー像を、中間転写ベルト６１上に転写するための転写バイアスを与える。
【００３８】
中間転写ベルト６１は、４つの感光体ドラム３に接触するように設けられている、そして、感光体ドラム３に形成された各色のトナー像を中間転写ベルト６１に順次的に重ねて転写することによって、中間転写ベルト６１上にカラーのトナー像（多色トナー像）を形成する機能を有している。中間転写ベルト６１は、たとえば厚さ１００μｍ〜１５０μｍ程度のフィルムを用いて無端状に形成されている。
【００３９】
感光体ドラム３から中間転写ベルト６１へのトナー像の転写は、中間転写ベルト６１の裏側に接触している中間転写ローラ６４によって行なわれる。中間転写ローラ６４には、トナー像を転写するために高電圧の転写バイアス（トナーの帯電極性（−）とは逆極性（＋）の高電圧）が印加されている。中間転写ローラ６４は、直径８ｍｍ〜１０ｍｍの金属（たとえばステンレス）軸をベースとし、その表面が導電性の弾性材（たとえばエチレン−プロピレン−ジエンゴム、発泡ウレタン等）により覆われているローラである。この導電性の弾性材により、中間転写ベルト６１に対して均一に高電圧を印加することができる。本実施の形態では転写電極としてローラ形状の電極を使用しているが、それ以外にブラシ形状の電極等を用いることが可能である。
【００４０】
上述のように、各感光体ドラム３上で各色に応じて顕像化された静電潜像は中間転写ベルト６１で積層される。このように、積層された画像は中間転写ベルト６１の回転によって、後述の記録用紙と中間転写ベルト６１の接触位置に配置される転写ローラ１０によって記録用紙上に転写される。
【００４１】
このとき、中間転写ベルト６１と転写ローラ１０は所定ニップで圧接されると共に、転写ローラ１０にはトナーを記録用紙に転写させるための電圧が印加される（トナーの帯電極性（−）とは逆極性（＋）の高電圧）。さらに、転写ローラ１０は上記ニップを定常的に得るために、転写ローラ１０または中間転写ベルト駆動ローラ６２のいずれか一方を硬質材料（金属等）とし、他方を弾性ローラ等の軟質材料（弾性ゴムローラ、または発泡性樹脂ローラ等々）としたものが用いられる。
【００４２】
また、上記のように、感光体ドラム３に接触することにより中間転写ベルト６１に付着したトナーまたは転写ローラ１０によって記録用紙上に転写が行なわれず中間転写ベルト６１上に残存したトナーは、次工程でトナーの混色を発生させる原因となるために、中間転写ベルトクリーニングユニット６５によって除去および回収されるように設定されている。中間転写ベルトクリーニングユニット６５には、中間転写ベルト６１に接触する、たとえば、クリーニング部材としてクリーニングブレードが備えられており、クリーニングブレードが接触する中間転写ベルト６１は、裏側から中間転写ベルト従動ローラ６３で支持されている。
【００４３】
給紙カセット８１は、画像形成に使用するシートを蓄積しておくためのトレイであり、本体部２６の露光ユニット１の下側に設けられている。手差し給紙カセット８２にも画像形成に使用するシートを載置することができる。本体部２６の上方に設けられている排紙トレイ９１は、印刷済みのシートをフェイスダウンで集積するためのトレイである。
【００４４】
本体部２６には、給紙カセット８１および手差し給紙カセット８２のシートを転写ローラ１０および定着ユニット７を経由させて排紙トレイ９１に送出するための、略垂直形状の用紙搬送路Ｓが設けられている。給紙カセット８１または手差し給紙カセット８２から排紙トレイ９１までの用紙搬送路Ｓの近傍には、ピックアップローラ１１ａ、ピックアップローラ１１ｂ、複数の搬送ローラ１２ａ〜搬送ローラ１２ｄ、レジストローラ１３、転写ローラ１０、定着ユニット７等が配されている。
【００４５】
搬送ローラ１２ａ〜搬送ローラ１２ｄは、シートの搬送を促進および補助するための小型のローラであり、用紙搬送路Ｓに沿って複数設けられている。また、ピックアップローラ１１ａは、給紙カセット８１の端部近傍に備えられ、給紙カセット８１からシートを１枚ずつピックアップして用紙搬送路Ｓに供給する。また、同様にして、ピックアップローラ１１ｂは、手差し給紙カセット８２の端部近傍に備えられ、手差し給紙カセット８２からシートを１枚ずつピックアップして用紙搬送路Ｓに供給する。
【００４６】
レジストローラ１３は、用紙搬送路Ｓを搬送されているシートを一旦保持するものである。そして、感光体ドラム３上のトナー像の先端とシートの先端を合わせるタイミングでシートを転写ローラ１０に搬送する機能を有している。
【００４７】
定着ユニット７は、ヒートローラ７１および加圧ローラ７２を備えており、ヒートローラ７１および加圧ローラ７２は、シートを挟んで回転するようになっている。また、ヒートローラ７１は、図示しない温度検出器からの信号に基づいて、画像処理装置２０の全体を制御または画像形成部を制御する制御部によって所定の定着温度となるように設定されており、加圧ローラ７２とともにトナーをシートに熱圧着することにより、シートに転写された多色トナー像を溶融、混合および圧接し、シートに対して熱定着させる機能を有している。
【００４８】
この定着ユニット７には、ヒートローラ７１を加熱するためのヒータ（ハロゲンヒータ等）が備えられている。
【００４９】
次に、シート搬送経路を詳細に説明する。上述のように、画像処理装置２０には予めシートを収納する給紙カセット８１および手差し給紙カセット８２が設けられている。これらの給紙カセット８１または手差し給紙カセット８２からシートを給紙するために、ピックアップローラ１１ａまたはピックアップローラ１１ｂが配置され、シートを１枚ずつ用紙搬送路Ｓに導くようになっている。
【００５０】
給紙カセット８１または手差し給紙カセット８２から搬送されるシートは、用紙搬送路Ｓの搬送ローラ１２ａによってレジストローラ１３まで搬送され、シートの先端と中間転写ベルト６１上の画像の先端を整合するタイミングで転写ローラ１０に搬送され、シート上に画像が書き込まれる。その後、シートは定着ユニット７を通過することによってシート上の未定着トナーが熱で溶融および固着されて、その後に配置された搬送ローラ１２ｂを経て排紙トレイ９１上に排出される。
【００５１】
上記の搬送経路は、シートに対する片面印字要求のときのものであるが、これに対して両面印字要求の時は、上記のように片面印字が終了し定着ユニット７を通過したシートの後端が最終の搬送ローラ１２ｂで把持されたときに、搬送ローラ１２ｂが逆回転することによってシートを搬送ローラ１２ｃ、１２ｄに導く。その後、レジストローラ１３を経てシート裏面に印字が行われた後にシートが排紙トレイ９１に排出される。
【００５２】
通常の用紙搬送路Ｓに対して、シートの表裏を反転させてシートを搬送させる搬送路を反転搬送路Ｒとして、図１に示す。上述したように、シートの第１面（表面）に印刷した後にこの反転搬送路Ｒを通過させるとシートの第２面（裏面）に中間転写ベルト６１が対向するので、この第２面に画像を形成できる。さらに、シートの第１面（表面）に印刷した後にこの反転搬送路Ｒを２回通過させるとシートの第１面（表面）に中間転写ベルト６１が対向するので、印刷済みの第１面に画像を重ねて形成できる。また、シートの第１面（表面）に印刷してからシートの第２面（裏面）に印刷した後にこの反転搬送路Ｒを通過させるとシートの第１面（表面）に中間転写ベルト６１が対向するので、印刷済みの第１面に画像を重ねて形成できる。
【００５３】
図１の画像処理装置２０の本体部２６の上方に、手前側に突設して操作装置５０（図３参照。図１には図示せず。）が設けられている。図３を参照して、操作装置５０は、操作装置５０の表面の右側の領域に配置された、テンキー、およびその他の種々の操作ボタンであるハードウェアキーが備えられている板状の操作パネルと、操作装置５０の中央部から左側の領域に配置された、小型のタッチパネル一体型液晶表示装置から構成されている表示パネルとを含む。操作パネルと表示パネルとは一つの筐体に保持され、操作装置５０は全体として一体となるように構成されている。
【００５４】
この操作装置５０においては、表示パネルに、この画像処理装置２０の動作状態、ユーザが所望の機能を選択するために複数の機能が表示されるメニューおよびサブメニュー（メニューのさらに下位階層のメニュー）等が表示される。表示パネルの液晶表示装置の表示領域上には選択ボタンが表示され、この選択ボタンの表示されている領域を指で押すと、タッチパネルがその押された位置を検出する。プログラム上で選択ボタンの表示位置とタッチパネルが押された位置とを照合することにより、画像処理装置２０の機能設定および動作指示等が行なわれる。以下において、表示パネルをタッチパネルディスプレイと記載する場合がある。
【００５５】
このように、操作装置５０は、ユーザにより操作されるハードウェアキーおよびタッチパネルディスプレイで構成されるソフトウェアキーにより構成される操作部５２と、タッチパネルディスプレイで構成される表示部５４とで構成される。
【００５６】
図３及び図４を参照して、表示部５４には、画像処理装置２０における各モードのメニュー、画像処理装置２０の現在の状態、宛先指定状況、及びジョブの処理状況等が表示される。表示部５４の表示領域上には選択ボタンが表示され、この選択ボタンの表示されている領域を指で押すと、タッチパネルがその押された位置を検出する。プログラム上で選択ボタンの表示位置とタッチパネルが押された位置とを照合することにより、画像処理装置２０の機能設定および動作指示等が行なわれる。特に、後述する用紙色と画像データの色とが類似する箇所を修正するには特別機能キー１０６を、当該箇所をプレビュー表示により確認するにはプレビュー確認キー１０８を、それぞれ指で押すと、各機能の設定画面に切替えることができる。
【００５７】
［画像形成装置の動作モード］
本実施の形態に係る画像処理装置２０は、その動作モードとして、コピーモード、ファクシミリ送受信モード（タッチパネルディスプレイ画面例では「ファクス／イメージ送信」モードと記載）、プリンタモードおよびスキャナモード（タッチパネルディスプレイ画面例では「ドキュメントファイリング」モードと記載）を備える。以下においては、これらの動作モードを説明する。
【００５８】
−コピーモード−
以下において、コピーモードの動作説明を行なう。このコピーモードにおいては、主として、本体部２６が動作することにより、コピー機能が実現される。なお、原稿を自動送りする場合には、自動原稿処理装置２８が動作する。
【００５９】
画像処理装置２０においては、原稿載置台２４に置かれた原稿が画像データとして読取られ、読取られた画像データが制御部へ入力され、ここで画像データに各種の画像処理が施される。上述した構成を備える画像形成部は、この画像データによって示される原稿の画像を記録用紙に印刷する。
【００６０】
−ファクシミリモード−
以下において、ファクシミリモードの動作説明を行なう。このファクシミリモードにおいては、主として、送信動作は原稿読取部およびＦＡＸ通信部が動作することにより、受信動作はＦＡＸ通信部および画像形成部が動作することにより、ファクシミリ機能が実現される。
【００６１】
送信動作については以下の通りである。送信側の画像処理装置２０においては、ファクシミリモードを指定して、原稿載置台２４に置かれた原稿が原稿読取部により画像データとして読取られ、読取られた画像データが制御部に入力され、ここで画像データに各種の画像処理が施され、この画像データがＦＡＸ通信部へと出力される。ＦＡＸ通信部は、指定された送信側の回線を指定された送信先に接続して、画像データをファクシミリ通信規格に合致した通信データへ変換して、受信側のファクシミリ装置（たとえばファクシミリ機能を備えた画像処理装置２０）へ送信する。回線が接続されると、受信側の画像処理装置２０のＦＡＸ通信部は、送信側の画像処理装置２０のＦＡＸ通信部からの通信要求信号を検出して、応答信号を送信する。その後、たとえば、ＦＡＸ通信部は、送信側および受信側で互いに実装されている能力情報の受渡しを行ない利用可能な最大能力での通信速度および画像データの符号化・符号訂正方式などを決定してモデムの通信方式を設定する。この通信方式にあわせた画像信号形式を用いて、送信側の画像処理装置２０のＦＡＸ通信部から受信側の画像処理装置２０のＦＡＸ通信部へデータを送信する。送信が終了すると回線が切断される。
【００６２】
受信動作については以下の通りである。受信側の画像処理装置２０のＦＡＸ通信部は、受信したデータを画像データに変換して、画像形成部へ送る。なお、受信したデータを画像データへ変換するのは画像形成部であっても構わない。画像形成部は、上述したコピーモードにおける動作と同じように、受信したデータから変換された画像データによって示される原稿の画像を記録用紙に印刷する。
【００６３】
−プリンタモード−
以下において、プリンタモードの動作説明を行なう。このプリンタモードにおいては、主として、画像形成部が動作することにより、プリント機能が実現される。
【００６４】
ネットワークインターフェイスを介してコンピュータからプリントデータを受信すると、受信したプリントデータを画像データに変換して、画像形成部へ送る。なお、プリントデータを画像データへ変換するのは画像形成部であっても構わない。画像形成部は、上述したコピーモードにおける動作と同じように、プリントデータから変換された画像データによって示される原稿の画像を記録用紙に印刷する。
【００６５】
−スキャナモード−
以下において、スキャナモードの動作説明を行なう。このスキャナモードにおいては、主として、原稿読取部が動作することにより、スキャナ機能が実現される。
【００６６】
画像処理装置２０においては、原稿載置台２４に置かれた原稿が原稿読取部２２により画像データとして読取られ、読取られた画像データが制御部に入力され、ここで画像データに各種の画像処理が施され、この画像データが画像処理装置２０の記憶装置（ハードディスク）に記憶されたり（ドキュメントファイリング）、ネットワークに接続されたコンピュータへネットワークインターフェイスを介して送信されたり（スキャンｔｏフォルダ）、電子メールの添付ファイルとしてネットワークインターフェイスを介して送信されたり（スキャンｔｏメール）する。
【００６７】
［類似色判定］
図２を参照して、画像処理装置２０はさらに、画像処理装置２０の動作を制御するための制御部１００、画像を形成する記録用紙の色を設定するための設定部９４、用紙色と画像データの色とが類似している箇所があるか否かを識別するための類似色識別部９６とを含む。前述した操作装置５０等はいずれも制御部１００に接続されている。また、画像形成部４４は給紙部４６の他に、給紙部４６付近に備えられ、用紙色の色を検知するための検知部９２を含む。類似色識別部９６は、用紙色と画像データの色とを比較するための比較部９８、用紙色と画像データの色とが類似している箇所があるか否かを判定するための類似性判定部１０２、及び、類似する当該箇所にユーザが所望する修正を加えるための修正部１０４を含む。
【００６８】
画像処理装置２０が用紙色と画像データの色との類似を判定する類似色判定について、主に図２を参照して説明する。なお、以下の説明では、コピーモードでの画像処理装置の動作を説明するが、他の動作モードでも類似色判定の態様は同じである。
【００６９】
給紙部４６又は手差しトレイに記録用紙がセットされると、画像処理装置２０は各トレイ付近に設置された検知部９２で、用紙色を検知する。検知された用紙色に関するデータは、制御部１００に送られる。用紙は、同一の用紙カセットに種々の用紙色の用紙をセットしてもよいし、模様又は文字が印刷された用紙をセットしてもよい。この場合、画像処理装置２０は、画像を印刷するごとに類似色判定を行なう。用紙カセットが複数ある場合には、収納するトレイを用紙色別に予め分類しておいてもよい。このように分類しておくと、画像データの印刷時に、画像データを印刷する用紙の用紙色をユーザ自身が選択することができる。
【００７０】
ユーザは原稿読取部２２を用いて、印刷を所望する画像データを画像処理装置２０に読込ませる。比較部９８は、この画像データの色データと画像を印刷する用紙の用紙色に関する色データとをピクセルごとに比較する。類似性判定部１０２は、画像データの色と画像データを印刷する用紙の用紙色とが類似する箇所があるか否かを判定する。この判定はピクセルごとに細かくなされ、印刷データの細部に対しても判定が可能である。そのため、模様が印刷された用紙に対しても、色の異なるそれぞれの箇所について、類似色判定を行なうことができる。
【００７１】
どのように類似色が判定されるかを、図５を参照して説明する。画像データの色及び用紙色等の各色は、赤・緑・青の三原色を組み合わせて再現される。色合いの違いはこれら三原色を組み合わせる割合によって異なり、その割合を（Ｒ、Ｇ、Ｂ）の表記方法によって数値で表す。ここで、ＲはＲｅｄ（赤色）、ＧはＧｒｅｅｎ（緑色）、ＢはＢｌｕｅ（青色）の割合を表す。本実施の形態ではこれらの数値はそれぞれ０〜２５５の数値で表される。たとえば赤色用紙の用紙色は（２５５、０、０）と表され、黄色用紙の用紙色は（０、１２７、１２７）と表される。また、本明細書においては、このＲＧＢによる表記法を用いて表される、色合いを示す数値を、以下「ＲＧＢ値」と呼ぶ。
【００７２】
図５は、直交座標軸上に色数値を配置して、異なる色数値どうしを比較するための図である。図示されたＲ軸、Ｇ軸、Ｂ軸は、矢印の向きに進むほど、数値が大きくなる。なお、各数値の最大値は２５５であるため、各数値のとる範囲はいずれも０以上２５５以下である。
【００７３】
ここで、図５上に配置された異なる色合いの色数値について、類似色判定を行なう。この判定は、類似性を判定する異なる色どうしをこの直交座標軸上に配置し、２点間の距離が閾値内であるか否かで判定するものである。直行座標軸上に、異なる色合いの色数値を示す２点Ｐ（ｒ１、ｇ１、ｂ１）及びＱ（ｒ２、ｇ２、ｂ２）があるとする。ＰＱ間距離は、以下の数式で表される。
【００７４】
【数１】
2012047837.tif 000003
【００７５】
例えば、図５に示された２点Ａ，Ｂについて、それぞれの色数値が、Ａ（１５、７５、１０）、Ｂ（７０、１０、２０）であるとする。数式１より、ＡＢ間の距離は６．１（小数点第二位以下は四捨五入する。）であると算出される。色数値はＲＧＢの各色の成分の大きさを数値として表すものであるから、２点間の距離が近いほど、各点によって示される色合いどうしは類似している。したがって、この距離が閾値よりも小さい場合、当該画像データの色及び当該用紙色は類似していると判定できる。なお、この閾値はユーザが任意に設定することもできる。
【００７６】
図６を参照して、上記方法により色が類似している箇所を発見した場合には、画像処理装置２０は出力原稿が見づらいものになることをユーザに警告する。警告があったとしても、ユーザは印刷の実行、又は画像データの修正の、どちらかを選択することが出来る。画像データを修正する場合は、ユーザは警告画面をキャンセルして一旦図４に示される標準画面に戻し、プレビュー確認キー１０８をタッチする。図７を参照して、プレビュー表示では、色が類似している箇所が強調表示される。プレビュー表示は印刷データを出力原稿と同じ形態で表示したものであるため、ユーザはこのプレビュー表示を確認して、当該類似箇所に色補正を加えるか否かを判断することができる。当該類似箇所が小さく類似性を確認しづらい場合には、ユーザは強調表示されている当該箇所を指でタッチする。図８を参照して、タッチされた箇所は画面中央に拡大表示される。ユーザはこの拡大表示により類似箇所の細部も確認することができる。
【００７７】
［類似箇所の色補正］
図７〜図１０を参照して、当該類似箇所に対して色補正を行なう処理について説明する。図７を参照して、類似している箇所は全て枠囲みで強調表示される。ユーザは修正したい類似箇所を指でタッチし、図８で示すように拡大表示させる。さらにユーザは、画面右上部に配置している色補正設定キー１１０を押下する。
【００７８】
ユーザが色補正設定キー１１０を押下すると、図９で示すように、画面右側に色補正のための色補正操作部１２２が表示される。ユーザは補正色選択キー１２６から所望の色を選択し、当該色が表示されている箇所をタッチする。図９を参照して、ユーザが仕上がり表示キー１２４を押下すると、画面中央に拡大表示されている類似箇所はユーザが選択した色に変化する。補正後の色が用紙色と類似していなければ、強調表示は消える。また、ユーザがオート補正キー１２８をタッチすると、画像処理装置２０は、類似箇所を自動的に用紙色と明確に異なる色に変化させる。このオート補正機能による補正後の色は、用紙色と明確に区別するために、用紙色の補色に設定してもよい。又は前述のＲＧＢ表記に基づいて表される２点間距離が閾値以上となるような色数値となる色に設定してもよい。
【００７９】
色補正が全て終了すると、ユーザは印刷キー１１２を押下し、画像データを印刷する。出力原稿は色補正がなされているため、ユーザは用紙色の影響を受けずに印刷された原稿を得ることができる。
【００８０】
［ソフトウェア構成］
上記した機能部は、実質的にコンピュータである制御部１００が所定のコンピュータプログラムを実行することにより実現される。以下、図１１〜１２を参照して、画像処理装置２０の制御部１００で実行されるプログラムの制御構造について説明する。制御部１００はこのようなプログラムと並行して、画像処理装置としての一般的機能を実現するプログラムを実行する。しかし、そのプログラムは本発明の本質的部分とは直接関係するものではないので、その詳細についてはここでは説明しない。なお、図１１〜１２に示したフローチャートは、類似色判定、色補正、及び印刷の機能を実現するためのプログラムについて記載されており、その他の各機能を実現するプログラムについては記載されていない。
【００８１】
これらプログラムが行なう処理は大きく２つに分類される。第１は、原稿を読込み、用紙色と画像データの色が類似する箇所があるか否かを判定する処理である。第２は、必要にしたがい当該類似箇所に色補正を行なって印刷をする処理である。第１の処理を実現するプログラム部分の制御構造を図１１に、第２の処理を実現するプログラム部分の制御構造を図１２に、それぞれ示す。なお図１１及び図１２は、理解を容易にするために、プログラムの概略構成のみを示している。特に後述するプレビューが表示された後の処理は、画面を用いた対話処理になるため、そのプログラムの詳細な構成については図１３を参照して後述する。
【００８２】
図１１を参照して、類似色判定のためのプログラムは、コピー処理の画像読込が指示されると起動される。ステップ１５２において、制御部１００は、検知部９２に、給紙部４６又は手差しトレイにセットされた用紙の色を検知させる。ステップ１５４において、制御部１００は、原稿読取部２２に原稿を読込ませ、画像データを生成する。
【００８３】
制御部１００は検知された用紙色と画像データの色とを比較する（ステップ１５６）。制御部１００は用紙色に基づくＲＧＢ値と画像データの色に基づくＲＧＢ値との間の距離を計算し、その値が閾値以下となる箇所があるか否かを判定する（ステップ１５８）。この判定が肯定ならば制御はステップ１６０に進み、否定ならば図１２のステップ１８４に進む。ステップ１８４については後述する。
【００８４】
ステップ１６０において、制御部１００は表示部５４に、用紙色と画像データの色とが類似しているために、出力原稿が見えづらいものになる恐れがあることをユーザに通知する画面を表示する。この警告画面にはプレビュー確認キー１０８が表示されている。
【００８５】
ステップ１６２において制御部１００は、プレビュー確認キー１０８が押下された否かを判定する。この判定が肯定ならば制御はステップ１６４へ進み、否定ならば制御は図１２のステップ１８４に進む。ステップ１６４において制御部１００は、類似箇所が強調表示されているプレビュー表示画面１１４を表示する。その後制御は図１２のステップ１７２へ進む。
【００８６】
図１２を参照して、ステップ１７２において制御部１００は、プレビュー表示画面１１４に示されている強調表示のいずれかがタッチされたか否かを判定する。この判定が肯定ならば制御はステップ１７４へ進み、否定ならば制御はステップ１８２へ進む。ステップ１７４において制御部１００はタッチされた強調表示の箇所を、拡大表示画面１１８のように拡大表示させる。
【００８７】
ステップ１７６において制御部１００は、色補正設定キー及びいずれかの色選択キーが押下されたか否かを判定する。この判定が肯定ならば制御部１００は選択色を拡大表示画面１１８に反映させ（ステップ１７８）、否定ならば制御はステップ１８２へ進む。
【００８８】
制御部１００はステップ１８０において、上記の色補正を行なった箇所以外にも、強調表示されている類似箇所があるか否かを判定する。この判定が肯定ならば制御はステップ１７２へ戻り、否定ならばステップ１８２へ進む。
【００８９】
ステップ１８２において制御部１００は、印刷キー１１２が押下されたか否かを判定する。この判定が肯定ならば制御はステップ１８４へ進み、否定ならばステップ１８６へ進む。ステップ１８４において制御部１００は画像データを印刷するよう画像形成部４４に指示を与え、このプログラムの実行は終了する。ステップ１８６において制御部１００はキャンセルキー１３２が押下されたか否かを判定する。この判定が肯定ならばこのプログラムの実行は終了し、否定ならば制御はステップ１７２へ戻る。
【００９０】
上記したフローチャート１５０及び１７０は、本実施の形態に係るプレビュー表示で実行されるプログラムの一部である。このプログラムはどのような指示が入力されたかによって、実行する機能が異なる。図１３を参照して、ステップ２０２において制御部１００は何らかの操作されるまで待ち、何らかの操作がされると、どのような操作がされたかを判定し、制御の流れを分岐させる。
【００９１】
色補正設定キー１１０が押下されると、制御部１００は色選択キー１２６を表示（ステップ２０４）させる。制御はステップ２０２に戻る。
【００９２】
仕上がり表示キー１２４が押下されると、制御部１００は色補正を反映した仕上がり表示を実行する。制御はステップ２０２に戻る。
【００９３】
戻るキーが押下されると、制御部１００は、図７に示すプレビュー表示画面を再表示する。制御はステップ２０２に戻る。
【００９４】
強調表示のマークがタッチされると、制御部１００はタッチされた部分の拡大表示を実行する（ステップ２１０）。制御はステップ２０２に戻る。
【００９５】
倍率変更ボタンが押下されると、画面に表示される文書の画像の倍率が変更される（ステップ２１２）。制御はステップ２０２に戻る。
【００９６】
色選択ボタンが押下されると、制御部１００はその内容を画面に反映させる。すなわち、強調表示されている画像部分の色を、色選択ボタンで指定された色に変化させる（ステップ２１２、２１４）。制御はステップ２０２に戻る。
【００９７】
オート補正キー１２８が押下されると、ステップ２１６においてオート補正を実行し（ステップ２１６）、その内容を画面に反映させる（ステップ２１８）。制御はステップ２０２に戻る。
【００９８】
設定確認キーが押下されると、制御部１００は設定確認画面を表示してこのプログラムの実行を終了する（ステップ２２０）。この設定確認画面では、種々の設定を変更することができる。図示しないが、設定確認画面での設定が完了すると、再びこのプログラムが起動され、ステップ２０２で入力待ち状態となる。
【００９９】
印刷キー１１２が押下されると、制御部１００は画像データの印刷を実行する（ステップ２２２）。ステップ２２２が終了すると、このプログラムの実行は終了する。
【０１００】
キャンセルキー１３２が押下されると、なにもされることなくこのプログラムの実行は終了する。
【０１０１】
プレビュー表示画面が表示された後は、このような制御構造を持つプログラムにより、補正が実現される。ユーザがどのようなボタンを押したかにしたがい、画面表示が変化し、画面上に表示されるボタンも変化する。各画面において適切なボタンのみが表示されるようにすることで、プログラムの制御の流れを適切に保つことができる。
【０１０２】
［動作］
画像処理装置２０は以下のように動作する。なお以下の説明では、主として図１及び図７〜図１０を参照する。
【０１０３】
ユーザは原稿読取部２２にコピーする原稿をセットし、印刷キー１１２を押下する。このとき、印刷用紙の用紙色と画像データの色とが類似する箇所があると、画像処理装置２０は図７に示す警告画面を表示する。類似があっても構わなければユーザは印刷キー１１２を押下し、色補正の必要があればプレビュー確認キー１０８を押下する。印刷又は色補正のいずれも実行しないのであれば、ユーザはキャンセルキー１３２を押下する。
【０１０４】
このように用紙色と画像データの色とが類似している箇所がある場合は、画像処理装置２０は自動的に類似をユーザに警告する。そのため、どのような用紙又は画像データの印刷であっても、ユーザは特段の注意を払うことなく印刷操作を実行することができる。
【０１０５】
プレビュー確認キー１０８を押下すると、図７に示すプレビュー表示画面１１４が表示部５４に表示される。ユーザは強調表示１１６のいずれかをタッチし、色補正を行なう箇所を拡大表示させる。ユーザは色補正設定キー１１０を押下し、色選択キー１２６に示されたいずれかの色から、変更色を選択する。この変更色で問題なければ、ユーザは仕上がり表示キー１２４を押下する。プレビュー表示画面１１４には色補正が反映されている。色補正の操作を中止するのであれば、ユーザはキャンセルキー１３２を押下し、印刷するのであれば印刷キー１１２を押下する。
【０１０６】
このようにプレビュー表示では類似箇所が強調表示されている。そのためユーザは画像データのどの部分が類似箇所なのかを、一目で判別することができる。強調表示のマークをタッチすると、タッチされた類似箇所が拡大表示される。そのためユーザは拡大表示を参照しながら色補正を行なうことができる。それゆえに、ユーザは小さい類似箇所の色補正、及び、所望する変更色への色補正を行なうことができる。
【０１０７】
以上の処理により、画像処理装置２０はユーザから特段の指示が与えられていなくとも、用紙色及び画像データの色を検知する。さらに、これらの色が類似していると判定された場合には、画像処理装置２０は類似により出力原稿が見づらくなる可能性を警告する。そのため、ユーザはどのような記録用紙及び画像データを用いて印刷を実行しようとも、色の類似に関して注意を促す必要がない。警告が通知された場合にのみ、ユーザは画像データに対して色補正を行なえばよい。したがって、本発明に係る画像処理装置によると、業務効率が改善し、印刷操作にかかる時間を短縮できる。
【０１０８】
本実施の形態においては、類似色判定はＲＧＢカラーモデルに基づいて行なったが、この判定は他のカラーモデルに基づくものであってもよい。例えば、シアン（Ｃｙａｎ）、マゼンタ（Ｍａｇｅｎｔａ）、イエロー（Ｙｅｌｌｏｗ）、ブラック（Ｂｌａｃｋ）の４種から成るＣＭＹＫカラーモデルを用いてもよい。これら４種はプリンタのインクとして用いられることが多いため、装置の特性等によっては、ＣＭＹＫカラーモデルを用いる方が好ましい場合も考えられる。
【０１０９】
本実施の形態に係る警告表示は、必ずしも表示する必要はない。類似箇所が発見された場合には警告表示を行なわず直ちにプレビュー表示を行なえば、ユーザに類似を警告できる。類似箇所が発生した場合は必ず色補正を行なうと予め決めているユーザにとっては、警告表示が煩わしい可能性もある。このような場合においては、警告表示を実行するか否かを、ユーザが任意に設定できるようにしても構わない。また、警告は警告音を用いて通知してもよい。本実施の形態に係る警告表示に加えて、アラーム音等の警告音が発生するようにしておくと、ユーザにより強く注意を払うよう促すことができる。もちろん、警告表示を行なわずに警告音によってのみ通知する形態をとることも可能である。
【０１１０】
本実施の形態に係る強調表示は、該当箇所が画像のどの部分に配置されているかが明確であれば、どのように表示されても構わない。図７に示す強調表示該当箇所１１６は用紙色と明確に異なる色の丸枠で囲まれているが、四角枠で囲んでもよいし、下線を付してもよい。或は、該当箇所を浮かび上がるように表示させたり、該当箇所のみが点滅するように表示させたりしてもよい。
【０１１１】
本実施の形態に係る色補正は、色相環を用いて行なってもよい。色相環とは、色相の総体を順序立てて円環にして並べたものである。図９に示される補正色選択キー１２６は選択できる色の数が限られている。一方、色相環においては色相が切れ目なく連続的に並んでいるので、ユーザは多くの中から補正色を選択できる。なお、色相環は円状又は帯状のものだけでなく、立体的な形状のものなど、その表示形態は限定されない。
【０１１２】
本実施の形態に係るオート補正は、数種の候補色の中からユーザが補正色を選択するという態様であっても構わない。オート補正により補正色が１種に限定されると、当該補正色がユーザの好みに合わない可能性がある。こうした場合、ユーザはオート補正をキャンセルし、プレビュー表示を元の画面に戻さなくてはならない。オート補正時に候補色がいくつか表示されると、ユーザの好みに応じた色を選択できる可能性が高まり、こうした手間を省くことができる。候補色は用紙色に類似しないものであれば、どのような色でも構わない。一例として、用紙色に一般的に組み合わされることの多い色を表示する、ということが考えられる。
【０１１３】
今回開示された実施の形態は単に例示であって、本発明が上述した実施の形態のみに限定されるわけではない。本発明の範囲は、発明の詳細な説明の記載を参酌した上で、特許請求の範囲の各請求項によって示され、そこに記載された文言と均等の意味および範囲内でのすべての変更を含む。
【符号の説明】
【０１１４】
２０    画像処理装置
２２    原稿読取部
４４    画像形成部
４６    給紙部
５０    操作装置
５２    操作部
５４    表示部
９２    検知部
９４    設定部
９６    類似色識別部
９８    比較部
１００  制御部
１０２  類似性判定部
１０４  修正部
１５０、１７０  フローチャート
【図１】
2012047837.tif 000004
【図２】
2012047837.tif 000005
【図３】
2012047837.tif 000006
【図４】
2012047837.tif 000007
【図５】
2012047837.tif 000008
【図６】
2012047837.tif 000009
【図７】
2012047837.tif 000010
【図８】
2012047837.tif 000011
【図９】
2012047837.tif 000012
【図１０】
2012047837.tif 000013
【図１１】
2012047837.tif 000014
【図１２】
2012047837.tif 000015
【図１３】
2012047837.tif 000016